(57)【要約】【課題】  劣化が生じにくく、エネルギー消費量が少なく、空気中の成分調整を高い成分選択性をもって行うことが可能な空気処理装置を提供する。【解決手段】  調湿装置１は、空気が通過する第１流路２、３と、空気をイオン性流体４７、４８に接触させる装置本体４とを備えている。【選択図】      図１
2006142121.tif 000002
【特許請求の範囲】
【請求項１】
空気中の成分調整を行う空気処理装置であって、
空気が通過する流路（２、３）と、
前記空気をイオン性流体（４７、４８）に接触させる装置本体（４）と、
を備えた空気処理装置（１）。
【請求項２】
前記流路は、第１空気が通過する第１流路（２）と、第２空気が通過する第２流路（３）とを有しており、
前記装置本体（４）は、前記第１空気を前記イオン性流体（４７、４８）に接触させることによって前記第１空気中に含まれる成分を前記イオン性流体に捕捉させる第１操作と、前記第１操作において前記イオン性流体に捕捉された成分を前記第２空気中に放出する第２操作とが切り換えできるように、前記第１流路及び前記第２流路に接続されている、
請求項１に記載の空気処理装置（１）。
【請求項３】
前記第２操作において前記イオン性流体（４７、４８）を加熱する加熱機構（７、８）をさらに備えている、請求項２に記載の空気処理装置（１）。
【請求項４】
前記イオン性流体（４７、４８）は、水を選択的に捕捉する特性を有している、請求項１〜３のいずれかに記載の空気処理装置（１）。
【請求項５】
前記イオン性流体（４７、４８）は、親水性アニオンを含んでいる、請求項４に記載の空気処理装置（１）。
【発明の詳細な説明】
【技術分野】
【０００１】
本発明は、調湿、空気中の有害成分の除去、又は、空気中に有用成分を付加する等の空気中の成分調整を行う空気処理装置に関する。
【背景技術】
【０００２】
従来より、調湿、空気中の有害成分の除去、又は、空気中に有用成分を付加する等の空気中の成分調整を行う空気処理装置として、ハニカム、ロータや熱交換器等の基材に、ゼオライト、シリカゲル、イオン交換樹脂等の固体吸着材や触媒を担持させた構成を有するものが使用されている。
このような空気処理装置の一つとして、ゼオライトやシリカゲル等の吸着材を基材に担持させた調湿エレメントを使用した調湿装置がある。このような調湿装置では、調湿エレメントに第１空気を通過させることによって、第１空気中に含まれる成分の一つである水分を調湿エレメントに吸着して、第１空気を除湿することができ、水分を吸着した調湿エレメントに第２空気をヒータで加熱した後に通過させることによって、水分を調湿エレメントから脱着して、第２空気を加湿することができるように構成されている（例えば、特許文献１参照。）。
【特許文献１】特開平８−１２８６８１号公報
【発明の開示】
【発明が解決しようとする課題】
【０００３】
上記従来の調湿装置では、吸着材を基材に担持させるために、バインダが用いられているが、このバインダの経年劣化により、吸着材が基材から剥がれ落ちてしまい、吸着性能が低下するという問題がある。また、水分を吸着するために形成された多数の細孔を有する無機系の吸着材を使用する場合において、第１空気中に重合性を有する揮発性有機化合物が含有されていると、吸着材の細孔内で重合反応を起こして細孔を塞ぐことになってしまい、吸着性能が低下するという問題がある。このことは、上記のような吸着材を使用した調湿装置だけでなく、有害成分を吸着により除去する機能を有する吸着剤や有害成分を分解する等の機能を発揮する触媒を基材に担持させた空気処理装置においても共通する問題である。
【０００４】
また、上記従来の調湿装置では、低温の条件で吸着能力が高くなり、高温の条件で吸着能力が低くなるという吸着材の吸着能力の温度依存特性を利用するために、水分を吸着した吸着材をヒータで加熱することで温度調節を行っている。しかし、吸着材の温度調節を行う際には、吸着材だけでなく、吸着材を担持するための基材やバインダも同時に温度調節しなければならず、吸着材の温度調節のために消費されるエネルギー量が増加してしまうという問題がある。このことは、上記のような吸着材を使用した調湿装置だけでなく、有害成分を吸着により除去する機能を有する吸着剤や熱や光を利用して有害成分を分解する等の機能を発揮する触媒を基材に担持させた空気処理装置においても共通する問題である。
【０００５】
また、上記従来の調湿装置では、吸着材によって水分だけを選択的に吸着することができないため、吸着材が水分の吸着及び脱着とともに臭気成分の吸着及び脱着も生じることとなり、例えば、加湿された第２空気を室内に給気する場合には、水分とともに臭気成分を室内に持ち込んでしまうという問題がある。また、有害成分を吸着により除去する機能を有する吸着剤を使用した空気処理装置においては、吸着材によって有害成分だけを選択的に吸着することができないため、吸着材が有害成分の吸着とともに水分や有用成分（例えば、ビタミンや酸素）の吸着及び脱着も生じることとなり、例えば、室内空気中から有害成分のみを除去しようとする場合には、有害成分の除去とともに水分や有用成分（例えば、ビタミンや酸素）を除去してしまうという問題がある。また、有害成分を分解する等の機能を発揮する触媒を使用した空気処理装置においては、触媒によって有害成分だけを選択的に分解することができないため、触媒が有害成分の分解とともに有用成分（例えば、ビタミン等）の分解が生じることとなり、有害成分を吸着により除去する機能を有する吸着剤を使用した空気処理装置と同様の問題が生じる。さらに、吸着材等を使用して空気中に有用成分を付加する空気処理装置においては、有用成分のみを選択的に付加することができず、水分や臭気成分も同時に付加してしまうという問題がある。
【０００６】
本発明の課題は、劣化が生じにくく、エネルギー消費量が少なく、空気中の成分調整を高い成分選択性をもって行うことが可能な空気処理装置を提供することにある。
【課題を解決するための手段】
【０００７】
第１の発明にかかる空気処理装置は、空気中の成分調整を行う空気処理装置であって、空気が通過する流路と、空気をイオン性流体に接触させる装置本体とを備えている。
本発明の発明者は、従来の吸着材や触媒を使用して構成された空気処理装置の問題点を解決するために、吸着材や触媒に代わる材料について鋭意検討を行った。その結果、吸着材や触媒に代わる材料としてイオン性流体を使用すると、流路を通過する空気をイオン性流体に接触させることにより、水分や有害成分を捕捉すること、イオン性流体に含まれる水分や有用成分を放出すること等を行うことができ、その結果、調湿、空気中の有害成分の除去、又は、空気中に有用成分を付加する等の空気中の成分調整を行うことが可能であることを見いだした。
【０００８】
ここで、イオン性流体とは、イミダゾリウム、ピリジニウムや第４級アルキルアンモニウム等のカチオンと、ＢＦ4-、（ＣＦ3ＳＯ2）2Ｎ-、ＣＨ3ＣＯＯ-、ＣＦ3ＳＯ3-、ＮＯ3-、ＰＦ6-、（ＣＮ）2Ｎ-、ＳＯ3-、ＳＯ2-やＣＦ3ＣＯＯ-等のアニオンから構成される塩である。イオン性流体は、比較的低温で液体状態となる性質を有し、しかも広い温度領域にて液体状態が保たれる性質を有している。また、イオン性流体は、耐熱性が高く、引火性がなく、可燃性がなく、揮発性が低いため、化学的に安定であるばかりでなく、安全性が高い性質を有している。さらに、イオン性流体は、種々の有機化合物や無機化合物に対して優れた溶解力を有しているため、従来から有機合成の反応溶媒としての用途が有望視されている物質である。
【０００９】
そして、この空気処理装置では、吸着材や触媒に代わる材料としてイオン性流体を使用しているため、長期間使用しても、その化学的安定性により劣化が生じにくい。また、吸着材や触媒のように基材やバインダを必要としないため、加熱等の温度調節によりイオン性流体に含まれる水分や有用成分を放出する際においても、温度調節のために消費されるエネルギー量が少なくなる。さらに、イオン性流体は、適当なカチオンとアニオンとの組み合わせにより、空気処理装置の用途に適したものを得ることができるため、空気中の成分調整を高い成分選択性をもって行うことが可能になる。
【００１０】
第２の発明にかかる空気処理装置は、第１の発明にかかる空気処理装置において、流路は、第１空気が通過する第１流路と、第２空気が通過する第２流路とを有している。装置本体は、第１空気をイオン性流体に接触させることによって第１空気中に含まれる成分をイオン性流体に捕捉させる第１操作と、第１操作においてイオン性流体に捕捉された成分を第２空気中に放出する第２操作とが切り換えできるように、第１流路及び第２流路に接続されている。
【００１１】
この空気処理装置では、第１操作によって第１空気中に含まれる成分をイオン性流体に捕捉させ、第２操作によってイオン性流体に捕捉された成分を第２空気に放出することができるため、イオン性流体に水や有用成分を外部から供給する操作を行うことなく第２空気の加湿や第２空気へ有用成分を付加したり、イオン性流体に捕捉された水や有害成分を外部に除去する操作を行うことなく第１空気の除湿や第１空気から有害成分を除去する等のように、空気中の成分調整を行うことができる。
【００１２】
第３の発明にかかる空気処理装置は、第２の発明にかかる空気処理装置において、第２操作においてイオン性流体を加熱する加熱機構をさらに備えている。
この空気処理装置では、イオン性流体を加熱することによって、第２空気の加湿や第２空気へ有用成分を付加することができる。
第４の発明にかかる空気処理装置は、第１〜第３の発明のいずれかにかかる空気処理装置において、イオン性流体は、水を選択的に捕捉する特性を有している。
【００１３】
この空気処理装置では、イオン性流体として、水を選択的に捕捉する特性を有するものを採用しているため、劣化が生じにくく、エネルギー消費量が少なく、空気中の水分の調整、すなわち、調湿操作を高い水分選択性をもって行うことが可能になる。
第５の発明にかかる空気処理装置は、第４の発明にかかる空気処理装置において、イオン性流体は、親水性アニオンを含んでいる。
【００１４】
この空気処理装置では、親水性アニオンを含むイオン性流体を使用しているため、水分選択性や水分の捕捉能力が向上して、効率よく調湿操作を行うことが可能になる。
【発明の効果】
【００１５】
以上の説明に述べたように、本発明によれば、以下の効果が得られる。
第１の発明では、吸着材や触媒に代わる材料としてイオン性流体を使用しているため、長期間使用しても劣化が生じにくく、吸着材や触媒のように基材やバインダを必要としないため、温度調節のために消費されるエネルギー量が少なくなり、適当なカチオンとアニオンとの組み合わせにより空気処理装置の用途に適したものを得ることができるため、空気中の成分調整を高い成分選択性をもって行うことが可能になる。
【００１６】
第２の発明では、第１操作によって第１空気中に含まれる成分をイオン性流体に捕捉させ、第２操作によってイオン性流体に捕捉された成分を第２空気に放出することができるため、イオン性流体に水や有用成分を外部から供給する操作を行うことなく第２空気の加湿や第２空気へ有用成分を付加したり、イオン性流体に捕捉された水や有害成分を外部に除去する操作を行うことなく第１空気の除湿や第１空気から有害成分を除去する等のように、空気中の成分調整を行うことができる。
【００１７】
第３の発明では、イオン性流体を加熱することによって、第２空気の加湿や第２空気へ有用成分を付加することができる。
第４の発明では、イオン性流体として、水を選択的に捕捉する特性を有するものを採用しているため、劣化が生じにくく、エネルギー消費量が少なく、空気中の水分の調整、すなわち、調湿操作を高い水分選択性をもって行うことが可能になる。
【００１８】
第５の発明では、親水性アニオンを含むイオン性流体を使用しているため、水分選択性や水分の捕捉能力が向上して、効率よく調湿操作を行うことが可能になる。
【発明を実施するための最良の形態】
【００１９】
以下、図面に基づいて、本発明にかかる空気処理装置の実施形態について説明する。
（１）調湿装置の構成
本発明の空気処理装置の一実施形態にかかる調湿装置１の概略構成を、図１に示す。調湿装置１は、室内の湿度が低下する際に室内を加湿したり、室内の湿度が増加する際に室内を除湿することができるように構成されている。
【００２０】
調湿装置１は、主として、第１空気が通過する第１流路２と、第２空気が通過する第２流路３と、第１空気及び第２空気をイオン性流体に接触させる装置本体４とを備えている。
装置本体４は、主として、第１容器４１及び第２容器４２と、第１容器４１に接続された第１導入流路４３及び第１導出流路４４と、第２容器４２に接続された第２導入流路４５及び第２導出流路４６とを有している。
【００２１】
第１容器４１及び第２容器４２には、それぞれ、イオン性流体が貯留されている。ここで、第１容器４１に貯留されたイオン性流体をイオン性流体４７とし、第２容器４２に貯留されたイオン性流体をイオン性流体４８とする。これらのイオン性流体４７、４８としては、図２に示されるように、イミダゾリウム、ピリジニウムや第４級アルキルアンモニウム等のカチオン（図２中のＲ１、Ｒ２、Ｒ３、Ｒ４は、アルキル基や水素原子等の基である）と、ＢＦ4-、（ＣＦ3ＳＯ2）2Ｎ-、ＣＨ3ＣＯＯ-、ＣＦ3ＳＯ3-、ＮＯ3-、ＰＦ6-、（ＣＮ）2Ｎ-、ＳＯ3-、ＳＯ2-やＣＦ3ＣＯＯ-等のアニオンから構成される塩を用いることが考えられる。本実施形態の調湿装置１においては、水を選択的に捕捉する特性を有するイオン性流体を用いることが望ましい。このため、例えば、ＳＯ3-、ＳＯ2-やＣＦ3ＣＯＯ-のような親水性アニオンを含むイオン性流体を使用することが望ましい。ここで、図２は、イオン性流体を形成するイオン種を示す表である。尚、図２は、イオン性流体を形成する多数のイオン種のうちの一部を例示したものである。
【００２２】
また、第１容器４１及び第２容器４２には、イオン性流体を加熱する加熱機構としての第１ヒータ７及び第２ヒータ８がそれぞれ設けられている。これらの第１ヒータ７及び第２ヒータ８は、調湿装置１の運転動作に応じて、ＯＮ／ＯＦＦ操作を行うことができるように構成されている。
第１導入流路４３は、外部から第１容器４１内に空気（具体的には、第１空気及び第２空気）を導入する管路であり、本実施形態においては、一端が第１容器４１内に導入される空気をイオン性流体４７中に吹き込んで接触させることができるように第１容器４１の下部（すなわち、液相部）まで挿入されており、他端が第１容器４１の外部まで引き出されて、後述の入口切換弁５の第１ポート５ａに接続されている。また、第２導入流路４５は、外部から第２容器４２内に空気（具体的には、第１空気及び第２空気）を導入する管路であり、本実施形態においては、一端が第２容器４２内に導入される空気をイオン性流体４８中に吹き込んで接触させることができるように第２容器４２の下部（すなわち、液相部）まで挿入されており、他端が第２容器４２の外部まで引き出されて、入口切換弁５の第２ポート５ｂに接続されている。
【００２３】
第１導出流路４４は、第１容器４１内からイオン性流体４７と接触した空気を外部に導出する管路であり、本実施形態においては、一端が第１容器４１の上部（すなわち、気相部）まで挿入されており、他端が第１容器４１の外部まで引き出されて、後述の出口切換弁６の第１ポート６ａに接続されている。また、第２導出流路４６は、第２容器４２内からイオン性流体４８と接触した空気を外部に導出する管路であり、本実施形態においては、一端が第２容器４２の上部（すなわち、気相部）まで挿入されており、他端が第２容器４２の外部まで引き出されて、出口切換弁６の第２ポート６ｂに接続されている。
【００２４】
第１流路２は、主として、第１入口流路２１と、第１出口流路２２と、第１送風ファン２３とを有している。また、第２流路３は、主として、第２入口流路３１と、第２出口流路３２と、第２送風ファン３３とを有している。
第１入口流路２１は、調湿装置１の外部から取り込まれる第１空気を装置本体４に導入するための管路であり、入口切換弁５の第３ポート５ｃに接続されている。第２入口流路３１は、調湿装置１の外部から取り込まれる第２空気を装置本体４に導入するための管路であり、入口切換弁５の第４ポート５ｄに接続されている。
【００２５】
入口切換弁５は、四路切換弁であり、第１入口流路２１を流れる第１空気を装置本体４の第１容器４１に導入しかつ第２入口流路３１を流れる第２空気を装置本体４の第２容器４２に導入する際に、第１ポート５ａと第３ポート５ｃとを接続しかつ第２ポート５ｂと第４ポート５ｄとを接続する第１操作状態（図１の入口切換弁５の実線を参照）と、第１入口流路２１を流れる第１空気を装置本体４の第２容器４２に導入しかつ第２入口流路３１を流れる第２空気を装置本体４の第１容器４１に導入する際に、第２ポート５ｂと第３ポート５ｃとを接続しかつ第１ポート５ａと第４ポート５ｄとを接続する第２操作状態（図１の入口切換弁５の破線を参照）との切り換えを行うことが可能である。
【００２６】
第１出口流路２２は、装置本体４から導出された第１空気を調湿装置１の外部に排出するための管路であり、出口切換弁６の第３ポート６ｃに接続されている。第２出口流路３２は、装置本体４から導出された第２空気を調湿装置１の外部に排出するための管路であり、出口切換弁６の第４ポート６ｄに接続されている。
出口切換弁６は、四路切換弁であり、装置本体４の第１容器４１から導出された第１空気を第１出口流路２２に送りかつ装置本体４の第２容器４２から導出された第２空気を第２出口流路３２に送る際に、第１ポート６ａと第３ポート６ｃとを接続しかつ第２ポート６ｂと第４ポート６ｄとを接続する第１操作状態（図１の出口切換弁６の実線を参照）と、装置本体４の第２容器４２から導出された第１空気を第１出口流路２２に送りかつ装置本体４の第１容器４１から導出された第２空気を第２出口流路３２に送る際に、第２ポート６ｂと第３ポート６ｃとを接続しかつ第１ポート６ａと第４ポート６ｄとを接続する第２操作状態（図１の出口切換弁６の破線を参照）との切り換えを行うことが可能である。
【００２７】
そして、これらの入口切換弁５及び出口切換弁６は、調湿装置１の運転動作に応じて、第１操作及び第２操作を連動して行う切換機構として機能する。
第１送風ファン２３は、調湿装置１の外部から第１流路２内に第１空気を取り込むファンであり、本実施形態においては、第１入口流路２１に設けられている。第２送風ファン３３は、調湿装置１の外部から第２流路３内に第２空気を取り込むファンであり、本実施形態においては、第２入口流路３１に設けられている。尚、第１送風ファン２３及び第２送風ファン３３は、入口流路２１、３１ではなく、出口流路２２、３２に設けられていてもよい。
【００２８】
（２）調湿装置の動作
次に、調湿装置１の動作について、図１を用いて説明する。
＜加湿運転＞
まず、室内の湿度が低下する際に室内の加湿を行う加湿運転の動作について、説明する。
【００２９】
ここで、第１流路２は、室外空気を第１空気として取り込み、装置本体４を経由して、第１空気を室外に排出できるように設けられているものとする。また、第２流路３は、室外空気を第２空気として取り込み、装置本体４を経由して、第２空気を室内に供給できるように設けられているものとする。
入口切換弁５及び出口切換弁６を第１操作状態とし、また、第１ヒータ７をＯＦＦかつ第２ヒータ８をＯＮにして、第２容器４２内のイオン性流体４８を加熱した状態において、第１送風ファン２３及び第２送風ファン３３を運転し、第１流路２及び第２流路３内に、それぞれ、第１空気としての室外空気及び第２空気としての室外空気を取り込む。
【００３０】
すると、第１空気は、第１流路２の第１入口流路２１、入口切換弁５及び第１導入流路４３を経由して、加熱されていない第１容器４１内のイオン性流体４７中に吹き込まれて接触させられるため、第１空気中に含まれる水分がイオン性流体４７に捕捉される。そして、水分がイオン性流体４７に奪われて除湿された第１空気は、第１導出流路４４、出口切換弁６及び第１流路２の第１出口流路２２を経由して、室外に排出される。ここで、第１空気に含まれる有害成分は、イオン性流体４７の水分選択性が高いため、イオン性流体４７にほとんど捕捉されることなく、室外に排出される。
【００３１】
一方、第２空気は、第２流路３の第２入口流路３１、入口切換弁５及び第２導入流路４５を経由して、第２ヒータ８によって加熱された第２容器４２内のイオン性流体４８中に吹き込まれて接触させられる。このとき、イオン性流体４８中に捕捉されている水分は、加熱によりイオン性流体４８中から第２空気中に放出される。そして、イオン性流体４８から水分を奪って加湿された第２空気は、第２導出流路４６、出口切換弁６及び第２流路３の第２出口流路３２を経由して、室内に供給される。
【００３２】
次に、上記のような入口切換弁５及び出口切換弁６を第１操作状態とし、第１ヒータ７をＯＦＦかつ第２ヒータ８をＯＮにした運転を所定時間行った後に、入口切換弁５及び出口切換弁６を第２操作状態に切り換え、第１ヒータ７をＯＮかつ第２ヒータ８をＯＦＦに切り換える。
すると、第１空気は、第１流路２の第１入口流路２１、入口切換弁５及び第２導入流路４５を経由して、加熱されていない第２容器４２内のイオン性流体４８中に吹き込まれて接触させられるため、第２空気中に含まれる水分がイオン性流体４８に捕捉される。そして、水分がイオン性流体４８に奪われて除湿された第１空気は、第２導出流路４６、出口切換弁６及び第１流路２の第１出口流路２２を経由して、室外に排出される。ここで、第１空気に含まれる有害成分は、イオン性流体４８の水分選択性が高いため、イオン性流体４８にほとんど捕捉されることなく、室外に排出される。
【００３３】
一方、第２空気は、第２流路３の第２入口流路３１、入口切換弁５及び第１導入流路４３を経由して、第１ヒータ７によって加熱された第１容器４１内のイオン性流体４７中に吹き込まれて接触させられる。このとき、上述の第１操作においてイオン性流体４７中に捕捉された水分は、加熱によりイオン性流体４７中から第２空気中に放出される。そして、イオン性流体４７から水分を奪って加湿された第２空気は、第１導出流路４４、出口切換弁６及び第２流路３の第２出口流路３２を経由して、室内に供給される。
【００３４】
次に、上記のような入口切換弁５及び出口切換弁６を第２操作状態とし、第１ヒータ７をＯＮかつ第２ヒータ８をＯＦＦにした運転を所定時間行った後に、再び、入口切換弁５及び出口切換弁６を第１操作状態に切り換え、第１ヒータ７をＯＦＦかつ第２ヒータ８をＯＮに切り換える。
すると、第１空気は、第１流路２の第１入口流路２１、入口切換弁５及び第１導入流路４３を経由して、加熱されていない第１容器４１内のイオン性流体４７中に吹き込まれて接触させられるため、第１空気中に含まれる水分がイオン性流体４７に捕捉される。そして、水分がイオン性流体４７に奪われて除湿された第１空気は、第１導出流路４４、出口切換弁６及び第１流路２の第１出口流路２２を経由して、室外に排出される。
【００３５】
一方、第２空気は、第２流路３の第２入口流路３１、入口切換弁５及び第２導入流路４５を経由して、第２ヒータ８によって加熱された第２容器４２内のイオン性流体４８中に吹き込まれて接触させられる。このとき、上述の第２操作においてイオン性流体４８中に捕捉された水分は、加熱によりイオン性流体４８中から第２空気中に放出される。そして、イオン性流体４８から水分を奪って加湿された第２空気は、第２導出流路４６、出口切換弁６及び第２流路３の第２出口流路３２を経由して、室内に供給される。
【００３６】
上記のように、入口切換弁５及び出口切換弁６を第１操作状態とし第２ヒータ８をＯＮにする操作と、入口切換弁５及び出口切換弁６を第２操作状態とし第１ヒータ７をＯＮにする操作とを、所定時間の間隔で繰り返し行うことにより、第１空気に含まれる水分をイオン性流体４７、４８に捕捉させ、イオン性流体４７、４８に捕捉された水分を加熱により第２空気中に放出して、第２空気を室内に供給することによって、室内の加湿を行うことができる。
【００３７】
＜除湿運転＞
次に、室内の湿度が増加する際に室内の除湿を行う除湿運転の動作について、説明する。
除湿運転の場合には、第１流路２は、室内空気を第１空気として取り込み、装置本体４を経由して、第１空気を室内に供給できるように設けられているものとする。また、第２流路３は、室外空気を第２空気として取り込み、装置本体４を経由して、第２空気を室外に排出できるように設けられているものとする。
【００３８】
このように構成された調湿装置１を上記の加湿運転と同様に、入口切換弁５及び出口切換弁６を第１操作状態とし第２ヒータ８をＯＮにする操作と、入口切換弁５及び出口切換弁６を第２操作状態とし第１ヒータ７をＯＮにする操作とを、所定時間の間隔で繰り返し行うことにより、第１空気に含まれる水分をイオン性流体４７、４８に捕捉させて、室内に供給するとともに、イオン性流体４７、４８に捕捉された水分を加熱により第２空気中に放出して、第２空気を室外に排出することによって、室内の除湿を行うことができる。
【００３９】
（３）調湿装置の特徴
本実施形態の調湿装置１には、以下のような特徴がある。
（Ａ）
本実施形態の調湿装置１では、ゼオライトやシリカゲル等の吸着材に代わる材料としてイオン性流体４７、４８を使用しているため、長期間使用しても、その化学的安定性により劣化が生じにくい。また、吸着材のように基材やバインダを必要としないため、ヒータ７、８による加熱等の温度調節によりイオン性流体４７、４８に含まれる水分を放出する際においても、温度調節のために消費されるエネルギー量が少なくなる。さらに、イオン性流体４７、４８は、図２に示されるように、適当なカチオンとアニオンとの組み合わせにより、例えば、親水性アニオンを含むものを選択することによって、調湿装置に適したものを得ることができるため、調湿操作を高い水分選択性をもって行うことが可能になり、また、水分の捕捉能力を向上させることも可能になる。
【００４０】
（Ｂ）
また、本実施形態の調湿装置１では、切換弁５、６を第１操作状態にすることによって第１空気中に含まれる成分をイオン性流体４７、４８に捕捉させ、第２操作状態にすることよってイオン性流体４７、４８に捕捉された成分を第２空気に放出することができるため、イオン性流体４７、４８に水を外部から供給する操作を行うことなく第２空気の加湿を行ったり（無給水加湿）、イオン性流体４７、４８に捕捉された水を外部に除去する操作を行うことなく第１空気の除湿（無排水除湿）を行うことができる。
【００４１】
また、上記のような切り換え可能な構成を採用する場合においても、イオン性流体を使用することにより水分選択性が高めることができるため、加湿運転時において室外から水分以外の臭気成分が持ち込まれたり、また、除湿運転時において室内から水分とともに有用成分が排出されることも少なくすることができる。
（４）他の実施形態
以上、本発明の実施形態について図面に基づいて説明したが、具体的な構成は、これらの実施形態に限られるものではなく、発明の要旨を逸脱しない範囲で変更可能である。
【００４２】
例えば、前記実施形態においては、イオン性流体として水分選択性の高いものを採用した調湿装置を例にして本発明を説明したが、イオン性流体として有害成分を選択的に捕捉する特性を有するものを採用した有害成分除去装置に適用したり、イオン性流体としてビタミンや酸素等の有用成分を選択的に捕捉する特性を有するものを採用した有用成分供給装置に適用することも可能である。すなわち、調湿のみならず、空気中の成分調整を行う空気処理装置に適用することが可能である。
【産業上の利用可能性】
【００４３】
本発明を利用すれば、劣化が生じにくく、エネルギー消費量が少なく、空気中の成分調整を高い成分選択性をもって行うことが可能な空気処理装置を提供することができる。
【図面の簡単な説明】
【００４４】
【図１】本発明の空気処理装置の一実施形態にかかる調湿装置の概略構成図である。
【図２】イオン性流体の形成を形成するイオン種を示す表である。
【符号の説明】
【００４５】
１  調湿装置（空気処理装置）
２、３  第１流路、第２流路（流路）
４  装置本体
７、８  第１ヒータ、第２ヒータ（加熱機構）
４７、４８  イオン性流体
【図１】
2006142121.tif 000003
【図２】
2006142121.tif 000004